(57)【特許請求の範囲】
【請求項１】
前後方向に並べて配置されるとともに、それぞれ開閉可能に構成される複数の遮蔽部材と、
前記複数の遮蔽部材の背後に配置されるとともに、前記複数の遮蔽部材をそれぞれ開閉させる駆動機構と、
一端側が前記各遮蔽部材の後面に固定され、また当該一端側から後方に向かって延設した他端側が前記駆動機構に固定されることで、当該各遮蔽部材と前記駆動機構とをそれぞれ連結する複数の支持アームと、
前記複数の遮蔽部材のうち最も前方に配置される第一の遮蔽部材と前から２番目に配置される第二の遮蔽部材との間に配置される第一の案内部材と、
前記第二の遮蔽部材と前記駆動機構との間に配置される第二の案内部材とを具備し、
前記第一及び第二の案内部材のそれぞれには、前記第一の遮蔽部材と前記駆動機構とを連結する支持アームを内部に受け容れて、当該支持アームを前記第一の遮蔽部材の開閉方向に沿って案内する案内通路が形成されると共に、前記第二の案内部材には、前記第二の遮蔽部材と前記駆動機構とを連結する支持アームを内部に受け容れて、当該支持アームを前記第二の遮蔽部材の開閉方向に沿って案内する案内通路が形成される、
ことを特徴とする遊技機の演出装置。
【発明の詳細な説明】
【技術分野】
【０００１】
本発明は、前後方向に並べて配置されるとともに、それぞれ開閉可能に構成される複数の遮蔽部材を備える遊技機の演出装置の技術に関する。
【背景技術】
【０００２】
従来、前後方向に並べて配置されるとともに、それぞれ開閉可能に構成される複数の遮蔽部材を備える遊技機の演出装置の技術が公知となっている。例えば、特許文献１に記載の如くである。
【０００３】
特許文献１に記載の演出装置は、前後方向に並べて配置されるとともに、それぞれ開閉可能に構成される複数（２つ）の遮蔽部材と、当該遮蔽部材の背後に配置される液晶表示装置と、遮蔽部材を移動させる駆動機構と、を具備するものである。
【０００４】
前記駆動機構は、液晶表示装置の上部前方において左右方向に横設される案内軸、液晶表示装置の下部前方において左右方向に横設され、上方に開放した断面略Ｕ字状のレール部材、および遮蔽部材を移動させるための駆動源となるモータ等を具備する。遮蔽部材は、案内軸およびレール部材によって左右方向に案内される。
【０００５】
このように構成された演出装置において、モータが駆動されると、遮蔽部材は案内軸およびレール部材に案内されながら左右方向に移動する。左右一対の遮蔽部材が相反する方向に移動することにより当該遮蔽部材が開閉される。当該遮蔽部材が開かれた場合は、当該遮蔽部材の間から液晶表示装置を視認することができる。
【先行技術文献】
【特許文献】
【０００６】
【特許文献１】特開２００９−２８５２１４号公報
【発明の概要】
【発明が解決しようとする課題】
【０００７】
しかしながら、特許文献１に記載の技術では、駆動機構（より詳細には案内軸、およびレール部材）が遮蔽部材の上下に配置されているため、当該駆動機構が遊技者から視認され易く、演出装置の美感を損ねる場合があるという問題点があった。
【０００８】
本発明は上記のような問題点に鑑みてなされたものであり、その解決しようとする課題は、駆動機構を遊技者から視認し難くすることができる遊技機の演出装置を提供することである。
【課題を解決するための手段】
【０００９】
本発明の解決しようとする課題は以上の如くであり、次にこの課題を解決するための手段を説明する。
【００１０】
即ち、請求項１においては、前後方向に並べて配置されるとともに、それぞれ開閉可能に構成される複数の遮蔽部材と、前記複数の遮蔽部材の背後に配置されるとともに、前記複数の遮蔽部材をそれぞれ開閉させる駆動機構と、一端側が前記各遮蔽部材の後面に固定され、また当該一端側から後方に向かって延設した他端側が前記駆動機構に固定されることで、当該各遮蔽部材と前記駆動機構とをそれぞれ連結する複数の支持アームと、前記複数の遮蔽部材のうち最も前方に配置される第一の遮蔽部材と前から２番目に配置される第二の遮蔽部材との間に配置される第一の案内部材と、前記第二の遮蔽部材と前記駆動機構との間に配置される第二の案内部材とを具備し、前記第一及び第二の案内部材のそれぞれには、前記第一の遮蔽部材と前記駆動機構とを連結する支持アームを内部に受け容れて、当該支持アームを前記第一の遮蔽部材の開閉方向に沿って案内する案内通路が形成されると共に、前記第二の案内部材には、前記第二の遮蔽部材と前記駆動機構とを連結する支持アームを内部に受け容れて、当該支持アームを前記第二の遮蔽部材の開閉方向に沿って案内する案内通路が形成されるものである。
【発明の効果】
【００１１】
本発明の効果として、以下に示すような効果を奏する。
【００１２】
請求項１においては、開閉する遮蔽部材を複数の層に配置することで、演出効果を高めることができる。また、駆動機構および支持アームを遮蔽部材の背後に隠すことができ、遊技者から視認し難くすることができる。さらに、案内部材によって支持アームを案内することで、遮蔽部材（特に駆動機構から離れた位置に配置される遮蔽部材）のガタつきを防止し、当該遮蔽部材を安定して支持することができる。
【図面の簡単な説明】
【００１３】
【図１】本発明の一実施形態に係る演出装置を備える遊技機の全体的な構成を示した正面図。
【図２】同じく、遊技機の窓枠が開放された状態の構成を示した正面斜視図。
【図３】同じく、遊技盤の構成を示した正面図。
【図４】演出装置の構成を示した正面図。
【図５】同じく、正面分解斜視図。
【図６】同じく、背面斜視図。
【図７】同じく、背面分解斜視図。
【図８】駆動機構の構成を示した正面斜視図。
【図９】同じく、背面斜視図。
【図１０】第一案内部材の構成を示した正面斜視図。
【図１１】同じく、背面斜視図。
【図１２】（ａ）第一遮蔽部材、第一左支持アームおよび第一右支持アームの構成を示した正面斜視図。（ｂ）同じく、背面斜視図。
【図１３】（ａ）第二案内部材の構成を示した正面斜視図。（ｂ）同じく、背面斜視図。
【図１４】（ａ）第二遮蔽部材、第二左支持アームおよび第二右支持アームの構成を示した正面斜視図。（ｂ）同じく、背面斜視図。
【図１５】図４におけるＡ−Ａ断面を示した側面図。
【図１６】図４におけるＢ−Ｂ断面を示した側面図。
【図１７】演出装置および装飾部材の構成を示した正面図。
【図１８】（ａ）本実施形態に係る演出装置の構成を示した側面模式図。（ｂ）３つの遮蔽部材を具備する演出装置の構成を示した側面模式図。
【図１９】（ａ）支持アームを案内通路に載置させた演出装置の構成を示した側面模式図。（ｂ）支持アームを案内部材の上に載置させた演出装置の構成を示した側面模式図。
【発明を実施するための形態】
【００１４】
まず、本発明の一実施形態に係る演出装置１７を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１５】
遊技機１は、図１及び図２が示すように、主として、外枠２と、中枠３と、窓枠４と、により構成される枠体に、各種の遊技部品が取り付けられて形成される。
【００１６】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１８】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００１９】
窓枠４は、略平板状に形成される枠体である。窓枠４は、遊技盤５の前方に配置される。窓枠４は、外枠２の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００２０】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２１】
次に、遊技盤５の構成について、図３を用いてさらに詳細に説明する。
【００２２】
遊技盤５には、ガイドレール１０と、図柄表示装置１１と、図柄表示開口部１２と、始動入賞口１８と、一般入賞口１３と、大入賞装置１４と、可変入賞装置１５と、アウト口１６と、演出装置１７と、が設けられる。
【００２３】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２４】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２５】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２６】
始動入賞口１８は、上面が開口されたポケット状に形成され、遊技球が入球（入賞）可能に形成される部材である。始動入賞口１８は、遊技領域１９の下部であって図柄表示開口部１２の下方に配置される。始動入賞口１８は、遊技球が入球すると図示せぬ賞球払出装置によって所定数の遊技球（賞球）が払い出されるとともに、所定の大当たり抽選が行われるように構成される。
【００２７】
一般入賞口１３は、上面が開口されたポケット状に形成され、遊技球が入球（入賞）可能に形成される部材である。一般入賞口１３は、遊技領域１９の下部であって左右の適宜な位置に複数個が配置される。一般入賞口１３は、遊技球が入球すると図示せぬ賞球払出装置によって所定数の遊技球（賞球）が払い出されるように構成される。
【００２８】
大入賞装置１４は、所定の大当たり抽選により大当たりが選択されると、大入賞口２１を開放して遊技球が入球（入賞）可能に構成される装置である。大入賞装置１４は、遊技領域１９の下部であって始動入賞口１８の右下方に配置される。大入賞装置１４は、開放した大入賞口２１に遊技球が入球すると図示せぬ賞球払出装置によって所定数の遊技球（賞球）が払い出されるように構成される。
【００２９】
可変入賞装置１５は、所定の作動条件に応じて左右一対の可動片２２が開閉作動し、可変入賞口２３に遊技球が入球（入賞）可能な開放状態と入球（入賞）不能な閉塞状態とに切り替え可能に構成される装置である。可変入賞装置１５は、遊技領域１９の下部であって始動入賞口１８の右方に配置される。可変入賞装置１５は、前記開放状態において可変入賞口２３に遊技球が入球（入賞）すると図示せぬ賞球払出装置によって所定数の遊技球（賞球）が払い出されるように構成される。
【００３０】
アウト口１６は、遊技領域１９を転動する遊技球が、始動入賞口１８や一般入賞口１３や大入賞口２１や可変入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００３１】
演出装置１７は、遊技者に視覚的な印象（インパクト）を与えて、その遊技者の興趣を高める部材である。演出装置１７は、遊技領域１９の上部であって図柄表示開口部１２の上部に配置される。
【００３２】
以下では、演出装置１７の構成について、図４から図１７を用いてさらに詳細に説明する。
なお、演出装置１７は、本発明に係る遊技機の演出装置の一実施形態であり、本発明に係る遊技機の演出装置は、演出装置１７の構成に限定するものではない。
【００３３】
演出装置１７は、図４および図５に示すように、主として、駆動機構３０と、第一案内部材５０と、第一遮蔽部材６０と、第一左支持アーム６５Ｌ・６５Ｌと、第一右支持アーム６５Ｒ・６５Ｒと、第二案内部材７０と、第二遮蔽部材８０と、第二左支持アーム８５Ｌ・８５Ｌと、第二右支持アーム８５Ｒ・８５Ｒと、により構成される。
【００３４】
まず、演出装置１７の動作の概要について簡単に説明する。
【００３５】
図４から図７に示す演出装置１７においては、駆動機構３０により第一遮蔽部材６０（詳細には、第一左遮蔽部材６０Ｌおよび第一右遮蔽部材６０Ｒ）および第二遮蔽部材８０（詳細には、第二左遮蔽部材８０Ｌおよび第二右遮蔽部材８０Ｒ）がそれぞれ左右方向に移動される。また、第一案内部材５０および第二案内部材７０は透明なプラスチック等の材料で構成される。
【００３６】
駆動機構３０によって第二遮蔽部材８０が左右に開かれると、当該第二遮蔽部材８０の間から第一遮蔽部材６０が視認可能となる。さらに駆動機構３０によって第一遮蔽部材６０が左右に開かれると、当該第一遮蔽部材６０の間から背後の液晶画面２０（図３参照）が視認可能となる。
【００３７】
上述の如く、第一遮蔽部材６０および第二遮蔽部材８０を特定のタイミングで開閉させることで、当該第一遮蔽部材６０および第二遮蔽部材８０の前面に設けられた図柄や文字等、ならびに液晶画面２０に表示された図柄や文字等を任意のタイミングで遊技者に視認させることができ、その遊技者の興趣を高めることができる。
【００３８】
次に、演出装置１７の各構成部材について詳細に説明する。
【００３９】
図８および図９に示す駆動機構３０は、第一遮蔽部材６０および第二遮蔽部材８０をそれぞれ左右方向に移動させるものである。駆動機構３０は、主として、第一モータ３１と、第一ピニオン３２と、第一上ラック３３と、第一下ラック３４と、第一上アーム３５と、第一下アーム３６と、第二モータ３７と、第二ピニオン３８と、第二上ラック３９と、第二下ラック４０と、第二上アーム４１と、第二下アーム４２と、により構成される。
【００４０】
第一モータ３１は、図示せぬ出力軸を前方向に向けて、駆動機構３０の左後部に配置される。第一モータ３１の出力軸は、軸線を前後方向に向けて配置された第一ピニオン３２と連動連結される。当該第一ピニオン３２の上下には、長手方向を左右方向に向けて配置された第一上ラック３３および第一下ラック３４がそれぞれ歯合される。
【００４１】
第一上ラック３３の右側には、長手方向を左右方向に向けて配置された第一上アーム３５が連結される。第一上アーム３５の右端下部には支持部３５ｂが設けられる。当該支持部３５ｂの前面には、左右一対の略円筒状の部材である連結部３５ｃ・３５ｃが設けられる。
【００４２】
第一下ラック３４の右側には、長手方向を左右方向に向けて配置された第一下アーム３６が連結される。第一下アーム３６の右端部前面には、左右一対の略円筒状の部材である連結部３６ｃ・３６ｃが設けられる。
【００４３】
第一上アーム３５に設けられた支持部３５ｂは、第一下アーム３６の右側に位置するように構成される。すなわち、連結部３５ｃ・３５ｃが右側に、連結部３６ｃ・３６ｃが左側に、それぞれ配置されることになる。
【００４４】
第二モータ３７は、図示せぬ出力軸を前方向に向けて、駆動機構３０の左後部に配置される。第二モータ３７の出力軸は、軸線を前後方向に向けて配置された第二ピニオン３８と連動連結される。当該第二ピニオン３８の上下には、長手方向を左右方向に向けて配置された第二上ラック３９および第二下ラック４０がそれぞれ歯合される。
【００４５】
第二上ラック３９の右側には、長手方向を左右方向に向けて配置された第二上アーム４１が連結される。第二上アーム４１の右端部からは、第一上アーム３５および第一下アーム３６を迂回するように迂回アーム４１ａが右方まで延設される。また、当該迂回アーム４１ａは、後述する第一遮蔽部材６０および第二遮蔽部材８０が左右に開かれた際に、当該第一遮蔽部材６０および第二遮蔽部材８０の間を通して正面から視認可能となる領域（第一左遮蔽部材６０Ｌと第一右遮蔽部材６０Ｒとの間、および第二左遮蔽部材８０Ｌと第二右遮蔽部材８０Ｒとの間）を迂回するように形成される（図１７参照）。迂回アーム４１ａの右端下部には支持部４１ｂが設けられる。当該支持部４１ｂの前面には、左右一対の略円筒状の部材である連結部４１ｃ・４１ｃが設けられる。
【００４６】
第二下ラック４０の右側には、長手方向を左右方向に向けて配置された第二下アーム４２が連結される。第二下アーム４２の右端部前面には、左右一対の略円筒状の部材である連結部４２ｃ・４２ｃが設けられる。
【００４７】
第二上アーム４１に迂回アーム４１ａを介して設けられた支持部４１ｂは、第二下アーム４２の右方に位置するように構成される。すなわち、連結部４１ｃ・４１ｃが右側に、連結部４２ｃ・４２ｃが左側に、それぞれ配置されることになる。
【００４８】
上述の如く構成された駆動機構３０において、第一モータ３１が駆動すると第一ピニオン３２が回転し、第一上ラック３３および第一下ラック３４が左右方向かつ互いに相反する方向に移動する。これによって、第一上ラック３３および第一下ラック３４にそれぞれ連結された連結部３５ｃ・３５ｃおよび連結部３６ｃ・３６ｃが左右方向かつ互いに相反する方向に移動する。当該連結部３５ｃ・３５ｃおよび連結部３６ｃ・３６ｃには後述する第一遮蔽部材６０が連結されるため、当該第一遮蔽部材６０が開閉されることになる。
【００４９】
また、第二モータ３７が駆動すると第二ピニオン３８が回転し、第二上ラック３９および第二下ラック４０が左右方向かつ互いに相反する方向に移動する。これによって、第二上ラック３９および第二下ラック４０にそれぞれ連結された連結部４１ｃ・４１ｃおよび連結部４２ｃ・４２ｃが左右方向かつ互いに相反する方向に移動する。当該連結部４１ｃ・４１ｃおよび連結部４２ｃ・４２ｃには後述する第二遮蔽部材８０が連結されるため、当該第二遮蔽部材８０が開閉されることになる。
【００５０】
図１０および図１１に示す第一案内部材５０は、第一左支持アーム６５Ｌ・６５Ｌ、第一右支持アーム６５Ｒ・６５Ｒ、第二左支持アーム８５Ｌ・８５Ｌ、および第二右支持アーム８５Ｒ・８５Ｒを案内するものである。
【００５１】
第一案内部材５０は、透明なプラスチック等の光を透過させる材料で形成される。第一案内部材５０は、後方が開放された略箱状の部材であり、駆動機構３０が後方から固定されると、当該駆動機構３０を前方から覆うように構成される（図６参照）。第一案内部材５０の前面には、第一左案内通路５１Ｌ、第一右案内通路５１Ｒ、第二左案内通路５２Ｌ、および第二右案内通路５２Ｒが形成される。
【００５２】
案内通路としての第一左案内通路５１Ｌおよび第一右案内通路５１Ｒは、第一案内部材５０の前面を前後方向に貫通するように形成される孔である。第一左案内通路５１Ｌおよび第一右案内通路５１Ｒは、第一案内部材５０の左右略中央において近接するように、左右に並んで形成される。第一左案内通路５１Ｌおよび第一右案内通路５１Ｒは、長手方向を左右方向に向けられた略矩形状に形成される。より詳細には、正面視において、第一左案内通路５１Ｌの範囲は駆動機構３０の連結部３６ｃ・３６ｃ（図８等参照）の移動範囲と、第一右案内通路５１Ｒの範囲は駆動機構３０の連結部３５ｃ・３５ｃ（図８等参照）の移動範囲と、それぞれ略一致するように形成される。
【００５３】
案内通路としての第二左案内通路５２Ｌおよび第二右案内通路５２Ｒは、第一案内部材５０の前面を前後方向に貫通するように形成される孔である。第二左案内通路５２Ｌは第一左案内通路５１Ｌの左下方に、第二右案内通路５２Ｒは第一右案内通路５１Ｒの右下方に、それぞれ形成される。第二左案内通路５２Ｌおよび第二右案内通路５２Ｒは、長手方向を左右方向に向けられた略矩形状に形成される。より詳細には、正面視において、第二左案内通路５２Ｌの範囲は駆動機構３０の連結部４２ｃ・４２ｃ（図８等参照）の移動範囲と、第二右案内通路５２Ｒの範囲は駆動機構３０の連結部４１ｃ・４１ｃ（図８等参照）の移動範囲と、それぞれ略一致するように形成される。
【００５４】
なお、第一案内部材５０の前面には、上述の第一左案内通路５１Ｌ等の他に、配線を通すための貫通孔等が適宜形成される。
【００５５】
図１２に示す遮蔽部材としての第一遮蔽部材６０は、遊技者の興趣を高めるための部材である。第一遮蔽部材６０は、主として、第一左遮蔽部材６０Ｌと、第一右遮蔽部材６０Ｒと、により構成される。
【００５６】
第一左遮蔽部材６０Ｌおよび第一右遮蔽部材６０Ｒは箱状の部材である。第一左遮蔽部材６０Ｌの右側面および第一右遮蔽部材６０Ｒの左側面には、互いに当接した場合に隙間ができないような凹凸が形成されている。第一左遮蔽部材６０Ｌおよび第一右遮蔽部材６０Ｒの前面には、遊技者の興趣を高めるような図柄や文字等が適宜描かれる。
【００５７】
支持アームとしての第一左支持アーム６５Ｌ・６５Ｌは、第一左遮蔽部材６０Ｌと駆動機構３０とを連結するものである。第一左支持アーム６５Ｌ・６５Ｌの一端は、第一左遮蔽部材６０Ｌの後面上部に左右に並んで固定される。第一左支持アーム６５Ｌ・６５Ｌの他端は、後方に向かって延設される。隣り合う第一左支持アーム６５Ｌ・６５Ｌの間隔は、駆動機構３０の隣り合う連結部３６ｃ・３６ｃ（図８参照）の間隔と同一となるように構成される。
【００５８】
支持アームとしての第一右支持アーム６５Ｒ・６５Ｒは、第一右遮蔽部材６０Ｒと駆動機構３０とを連結するものである。第一右支持アーム６５Ｒ・６５Ｒの一端は、第一右遮蔽部材６０Ｒの後面上部に左右に並んで固定される。第一右支持アーム６５Ｒ・６５Ｒの他端は、後方に向かって延設される。隣り合う第一右支持アーム６５Ｒ・６５Ｒの間隔は、駆動機構３０の隣り合う連結部３５ｃ・３５ｃ（図８参照）の間隔と同一となるように構成される。
【００５９】
図１３に示す第二案内部材７０は、第二左支持アーム８５Ｌ・８５Ｌおよび第二右支持アーム８５Ｒ・８５Ｒを案内するものである。
【００６０】
第二案内部材７０は、透明なプラスチック等の光を透過させる材料で形成される。第二案内部材７０は、後方が開放された略箱状の部材であり、第一遮蔽部材６０を前方から覆うように構成される（図７参照）。第二案内部材７０の前面には、第二左案内通路７２Ｌおよび第二右案内通路７２Ｒが形成される。
【００６１】
案内通路としての第二左案内通路７２Ｌおよび第二右案内通路７２Ｒは、第二案内部材７０の前面を前後方向に貫通するように形成される孔である。第二左案内通路７２Ｌおよび第二右案内通路７２Ｒは、第二案内部材７０の前面の左右両端部近傍にそれぞれ形成される。第二左案内通路７２Ｌおよび第二右案内通路７２Ｒは、長手方向を左右方向に向けられた略矩形状に形成される。より詳細には、正面視において、第二左案内通路７２Ｌの範囲は駆動機構３０の連結部４２ｃ・４２ｃ（図８等参照）の移動範囲と、第二右案内通路７２Ｒの範囲は駆動機構３０の連結部４１ｃ・４１ｃ（図８等参照）の移動範囲と、それぞれ略一致するように形成される。
【００６２】
なお、第二案内部材７０の前面には、上述の第二左案内通路７２Ｌおよび第二右案内通路７２Ｒの他に、配線を通すための貫通孔等が適宜形成される。
【００６３】
図１４に示す遮蔽部材としての第二遮蔽部材８０は、遊技者の興趣を高めるための部材である。第二遮蔽部材８０は、主として、第二左遮蔽部材８０Ｌと、第二右遮蔽部材８０Ｒと、により構成される。
【００６４】
第二左遮蔽部材８０Ｌおよび第二右遮蔽部材８０Ｒは箱状の部材である。第二左遮蔽部材８０Ｌの右側面および第二右遮蔽部材８０Ｒの左側面には、互いに当接した場合に隙間ができないような凹凸が形成されている。第二左遮蔽部材８０Ｌおよび第二右遮蔽部材８０Ｒの前面には、遊技者の興趣を高めるような図柄や文字等が適宜描かれる。
【００６５】
支持アームとしての第二左支持アーム８５Ｌ・８５Ｌは、第二左遮蔽部材８０Ｌと駆動機構３０とを連結するものである。第二左支持アーム８５Ｌ・８５Ｌの一端は、第二左遮蔽部材８０Ｌの後面左端部近傍に左右に並んで固定される。第二左支持アーム８５Ｌ・８５Ｌの他端は、後方に向かって延設される。隣り合う第二左支持アーム８５Ｌ・８５Ｌの間隔は、駆動機構３０の隣り合う連結部４２ｃ・４２ｃ（図８参照）の間隔と同一となるように構成される。また、第二左支持アーム８５Ｌ・８５Ｌの間には、補強のための第二左リブ８６Ｌが設けられる。
【００６６】
支持アームとしての第二右支持アーム８５Ｒ・８５Ｒは、第二右遮蔽部材８０Ｒと駆動機構３０とを連結するものである。第二右支持アーム８５Ｒ・８５Ｒの一端は、第二右遮蔽部材８０Ｒの後面右端部近傍に左右に並んで固定される。第二右支持アーム８５Ｒ・８５Ｒの他端は、後方に向かって延設される。隣り合う第二右支持アーム８５Ｒ・８５Ｒの間隔は、駆動機構３０の隣り合う連結部４１ｃ・４１ｃ（図８参照）の間隔と同一となるように構成される。また、第二右支持アーム８５Ｒ・８５Ｒの間には、補強のための第二右リブ８６Ｒが設けられる。
【００６７】
次に、演出装置１７の各構成部材の組み立ての様子について説明する。
【００６８】
図５および図７に示すように、駆動機構３０、第一案内部材５０、第一遮蔽部材６０、第二案内部材７０、および第二遮蔽部材８０は、後から前に向かってこの順に並べて配置される。駆動機構３０は、後方から第一案内部材５０に取り付けられる。第二案内部材７０は、前方から第一案内部材５０に取り付けられる。このように、第一案内部材５０は、複数の遮蔽部材のうち最も前方に配置される第二遮蔽部材８０および当該第二遮蔽部材８０より後方に配置される第一遮蔽部材６０と、駆動機構３０と、の間に配置される。また、第二案内部材７０は、複数の遮蔽部材のうち最も前方に配置される第二遮蔽部材８０と、駆動機構３０と、の間に配置される。
【００６９】
第一左遮蔽部材６０Ｌに固定された第一左支持アーム６５Ｌ・６５Ｌは、第一案内部材５０の第一左案内通路５１Ｌに挿通される。このように、第一左案内通路５１Ｌは、第一案内部材５０より前方に配置される第一遮蔽部材６０（より詳細には第一左遮蔽部材６０Ｌ）と、駆動機構３０と、を連結する第一左支持アーム６５Ｌ・６５Ｌを内部に受け容れることにより、当該第一左支持アーム６５Ｌ・６５Ｌを案内することが可能となる。また、当該第一左支持アーム６５Ｌ・６５Ｌの後端は、駆動機構３０の連結部３６ｃ・３６ｃにそれぞれ嵌め込まれて連結（固定）される。
【００７０】
第一右遮蔽部材６０Ｒに固定された第一右支持アーム６５Ｒ・６５Ｒは、第一案内部材５０の第一右案内通路５１Ｒに挿通される。このように、第一右案内通路５１Ｒは、第一案内部材５０より前方に配置される第一遮蔽部材６０（より詳細には第一右遮蔽部材６０Ｒ）と、駆動機構３０と、を連結する第一右支持アーム６５Ｒ・６５Ｒを内部に受け容れることにより、当該第一右支持アーム６５Ｒ・６５Ｒを案内することが可能となる。また、当該第一右支持アーム６５Ｒ・６５Ｒの後端は、駆動機構３０の連結部３５ｃ・３５ｃにそれぞれ嵌め込まれて連結（固定）される。
【００７１】
第二左遮蔽部材８０Ｌに固定された第二左支持アーム８５Ｌ・８５Ｌは、第二案内部材７０の第二左案内通路７２Ｌおよび第一案内部材５０の第二左案内通路５２Ｌに順に挿通される。このように、第二左案内通路７２Ｌは、第二案内部材７０より前方に配置される第二遮蔽部材８０（より詳細には第二左遮蔽部材８０Ｌ）と、駆動機構３０と、を連結する第二左支持アーム８５Ｌ・８５Ｌを内部に受け容れることにより、当該第二左支持アーム８５Ｌ・８５Ｌを案内することが可能となる。また、第二左案内通路５２Ｌは、第一案内部材５０より前方に配置される第二遮蔽部材８０（より詳細には第二左遮蔽部材８０Ｌ）と、駆動機構３０と、を連結する第二左支持アーム８５Ｌ・８５Ｌを内部に受け容れることにより、当該第二左支持アーム８５Ｌ・８５Ｌを案内することが可能となる。さらに、当該第二左支持アーム８５Ｌ・８５Ｌの後端は、駆動機構３０の連結部４２ｃ・４２ｃにそれぞれ嵌め込まれて連結（固定）される。
【００７２】
第二右遮蔽部材８０Ｒに固定された第二右支持アーム８５Ｒ・８５Ｒは、第二案内部材７０の第二右案内通路７２Ｒおよび第一案内部材５０の第二右案内通路５２Ｒに順に挿通される。このように、第二右案内通路７２Ｒは、第二案内部材７０より前方に配置される第二遮蔽部材８０（より詳細には第二右遮蔽部材８０Ｒ）と、駆動機構３０と、を連結する第二右支持アーム８５Ｒ・８５Ｒを内部に受け容れることにより、当該第二右支持アーム８５Ｒ・８５Ｒを案内することが可能となる。また、第二右案内通路５２Ｒは、第一案内部材５０より前方に配置される第二遮蔽部材８０（より詳細には第二右遮蔽部材８０Ｒ）と、駆動機構３０と、を連結する第二右支持アーム８５Ｒ・８５Ｒを内部に受け容れることにより、当該第二右支持アーム８５Ｒ・８５Ｒを案内することが可能となる。さらに、当該第二右支持アーム８５Ｒ・８５Ｒの後端は、駆動機構３０の連結部４１ｃ・４１ｃにそれぞれ嵌め込まれて連結（固定）される。
このようにして、図４および図６に示すように演出装置１７が組み立てられる。
【００７３】
駆動機構３０の第一モータ３１が駆動されると、連結部３５ｃ・３５ｃおよび連結部３６ｃ・３６ｃが左右方向かつ互いに相反する方向に移動する。したがって、第一左支持アーム６５Ｌ・６５Ｌおよび第一右支持アーム６５Ｒ・６５Ｒを介して第一左遮蔽部材６０Ｌおよび第一右遮蔽部材６０Ｒが左右方向かつ互いに相反する方向に移動し、第一遮蔽部材６０が開閉されることになる。
【００７４】
駆動機構３０の第二モータ３７が駆動されると、連結部４１ｃ・４１ｃおよび連結部４２ｃ・４２ｃが左右方向かつ互いに相反する方向に移動する。したがって、第二左支持アーム８５Ｌ・８５Ｌおよび第二右支持アーム８５Ｒ・８５Ｒを介して第二左遮蔽部材８０Ｌおよび第二右遮蔽部材８０Ｒが左右方向かつ互いに相反する方向に移動し、第二遮蔽部材８０が開閉されることになる。
【００７５】
上述の如く演出装置１７を構成することで、第一遮蔽部材６０および第二遮蔽部材８０を開閉させるための駆動機構３０および各支持アーム（第一左支持アーム６５Ｌ、第一右支持アーム６５Ｒ、第二左支持アーム８５Ｌ、および第二右支持アーム８５Ｒ）を、当該第一遮蔽部材６０および第二遮蔽部材８０の背後に隠すことができ、遊技者から視認し難くすることができる。
【００７６】
次に、第一左支持アーム６５Ｌ・６５Ｌおよび第二左支持アーム８５Ｌ・８５Ｌが案内される様子について説明する。
【００７７】
図１５に示すように、第一左遮蔽部材６０Ｌに固定された第一左支持アーム６５Ｌは、駆動機構３０の連結部３６ｃに連結（挿通）された状態で第一案内部材５０の第一左案内通路５１Ｌによって案内される。このようにして第一左支持アーム６５Ｌが左右に移動する際のガタつきを防止することで、ひいては第一左遮蔽部材６０Ｌのガタつきを防止することができる。
【００７８】
図１６に示すように、第二左遮蔽部材８０Ｌに固定された第二左支持アーム８５Ｌは、駆動機構３０の連結部４２ｃに連結（挿通）された状態で第一案内部材５０の第二左案内通路５２Ｌおよび第二案内部材７０の第二左案内通路７２Ｌによって案内される。このようにして第二左支持アーム８５Ｌが左右に移動する際のガタつきを防止することで、ひいては第二左遮蔽部材８０Ｌのガタつきを防止することができる。
特に第二左遮蔽部材８０Ｌは第一左遮蔽部材６０Ｌよりも前側に配置されるため、第二左支持アーム８５Ｌの長さを長くする必要があり、第二左遮蔽部材８０Ｌのガタつきが大きくなることが想定される。しかし、本実施形態の如く、第一案内部材５０だけでなく第二案内部材７０を用いて、第一案内部材５０より第二左遮蔽部材８０Ｌに近い位置でも第二左支持アーム８５Ｌを案内することにより、第二左遮蔽部材８０Ｌのガタつきを防止することができる。
【００７９】
以上の如く、第一左支持アーム６５Ｌ・６５Ｌおよび第二左支持アーム８５Ｌ・８５Ｌが案内される様子について説明したが、第一右支持アーム６５Ｒ・６５Ｒおよび第二右支持アーム８５Ｒ・８５Ｒについても同様に、第一案内部材５０および第二案内部材７０によって案内される。すなわち、第一右支持アーム６５Ｒ・６５Ｒは第一案内部材５０の第一右案内通路５１Ｒに、第二右支持アーム８５Ｒ・８５Ｒは第一案内部材５０の第二右案内通路５２Ｒおよび第二案内部材７０の第二右案内通路７２Ｒに、それぞれ案内される。
【００８０】
以上の如く、本実施形態に係る遊技機１の演出装置１７は、前後方向に並べて配置されるとともに、それぞれ開閉可能に構成される２つの遮蔽部材（第一遮蔽部材６０および第二遮蔽部材８０）と、前記２つの遮蔽部材の背後に配置されるとともに、前記２つの遮蔽部材をそれぞれ開閉させる駆動機構３０と、一端側が前記各遮蔽部材の後面に固定され、また当該一端側から後方に向かって延設した他端側が駆動機構３０に固定されることで、当該各遮蔽部材と駆動機構３０とをそれぞれ連結する複数の支持アーム（第一左支持アーム６５Ｌ・６５Ｌ、第一右支持アーム６５Ｒ・６５Ｒ、第二左支持アーム８５Ｌ・８５Ｌ、および第二右支持アーム８５Ｒ・８５Ｒ）と、前記２つの遮蔽部材のうち最も前方に配置される第二遮蔽部材８０と、駆動機構３０と、の間に配置される第一案内部材５０と、を具備し、第一案内部材５０には、前記複数の支持アームのうち第一案内部材５０より前方に配置される第二遮蔽部材８０と、駆動機構３０と、を連結する支持アームを内部に受け容れて、当該支持アームを当該支持アームが連結される第二遮蔽部材８０の開閉方向に沿って案内する案内通路（第二左案内通路５２Ｌ、および第二右案内通路５２Ｒ）が形成される、ことを特徴とするものである。
このように構成することにより、開閉する前記遮蔽部材を複数（２つ）の層に配置することで、演出効果を高めることができる。また、駆動機構３０および前記支持アームを前記遮蔽部材の背後に隠すことができ、遊技者から視認し難くすることができる。また、遊技者が前記遮蔽部材の斜め前方等から当該遮蔽部材を回避して前記支持アームを見た場合であっても、第一案内部材５０を透して当該支持アームを視認することになるため、当該支持アームを遊技者から視認し難くすることができる。さらに、第一案内部材５０によって前記支持アームを案内することで、前記遮蔽部材（特に駆動機構３０から離れた位置に配置される遮蔽部材）のガタつきを防止し、当該遮蔽部材を安定して支持することができる。
【００８１】
また、本実施形態に係る遊技機１の演出装置１７は、前記２つの遮蔽部材のうち少なくとも１つの遮蔽部材（第二遮蔽部材８０）の背後であって、第一案内部材５０よりも前側に配置されるとともに、支持アーム（第二左支持アーム８５Ｌおよび第二右支持アーム８５Ｒ）を内部に受け容れて、当該支持アームが連結される遮蔽部材（第二遮蔽部材８０）の開閉方向に沿って案内する案内通路（第二左案内通路７２Ｌおよび第二右案内通路７２Ｒ）が形成される第二案内部材７０を具備するものである。
このように構成することにより、第二案内部材７０によって前記支持アームを案内することで、前記遮蔽部材（特に駆動機構３０から離れた位置に配置される第二遮蔽部材８０）のガタつきを防止し、当該遮蔽部材をさらに安定して支持することができる。
【００８２】
また、本実施形態に係る迂回アーム４１ａは、第一遮蔽部材６０および第二遮蔽部材８０が左右に開かれた際に、当該第一遮蔽部材６０および第二遮蔽部材８０の間を通して正面から視認可能となる領域（第一左遮蔽部材６０Ｌと第一右遮蔽部材６０Ｒとの間、および第二左遮蔽部材８０Ｌと第二右遮蔽部材８０Ｒとの間）を迂回するように形成されるものである（図１７参照）。
このように構成することにより、第一遮蔽部材６０および第二遮蔽部材８０が左右に開かれた際に、駆動機構３０（特に迂回アーム４１ａ）を当該第一遮蔽部材６０および第二遮蔽部材８０それぞれの間から視認し難くすることができる。
【００８３】
また、本実施形態に係る遊技機１の演出装置１７は、図１７に示すように、正面視において迂回アーム４１ａが迂回する領域（正面視における第一遮蔽部材６０および第二遮蔽部材８０の概ね上方）の前方に、装飾部材２８を配置している。
このように構成することにより、駆動機構３０（特に迂回アーム４１ａ）を装飾部材２８の背後に隠すことができ、遊技者から視認し難くすることができる。
なお、迂回アーム４１ａの前方に配置する部材は上記の装飾部材２８に限らず、不透明な部材であればよい。また、第一案内部材５０または第二案内部材７０を、迂回アーム４１ａの前方を覆うように形成し、当該第一案内部材５０または第二案内部材７０のうち迂回アーム４１ａを覆う部分に不透明処理（着色する、模様を描く、等）を施す構成としてもよい。
【００８４】
なお、本発明に係る遮蔽部材の形状は、第一遮蔽部材６０および第二遮蔽部材８０の形状に限るものではなく、前後方向に並べて配置されるものであればその形状は限定しない。すなわち、本実施形態に係る第一遮蔽部材６０および第二遮蔽部材８０は正面視略平行四辺形状であるが、正面視矩形状、三角形状、円形状等とすることも可能である。
また、本発明に係る駆動機構の構成は、駆動機構３０に限るものではなく、遮蔽部材を開閉させることができる構成であればよい。すなわち、本実施形態に係る駆動機構３０は、アーム等を使ったリンク機構を用いているが、ワイヤーを用いる構成とすることも可能である。また、モータではなくその他のアクチュエータ（例えば、エアシリンダ等）を用いる構成とすることも可能である。
また、本発明に係る支持アームは、本実施形態に係る支持アーム（第一左支持アーム６５Ｌ等）に限るものではなく、遮蔽部材の背後に配置されるものであればその形状および個数は限定しない。すなわち、本実施形態に係る支持アームは略円柱形状であるが、角柱形状等であってもよい。
また、本発明に係る案内部材は、本実施形態に係る第一案内部材５０および第二案内部材７０に限るものではなく、所定の案内通路が形成されていればその形状は限定しない。すなわち、本実施形態に係る第一案内部材５０および第二案内部材７０は後方が開放された略箱状の部材であるが、単に平板状の部材等であってもよい。
また、本発明に係る遮蔽部材の開閉方向は、本実施形態に係る第一遮蔽部材６０および第二遮蔽部材８０の如く左右方向に限るものではなく、上下方向、斜め方向等に開閉する構成であってもよい。
【００８５】
以下では、図１８および図１９に示す模式図を用いて、他の実施形態について説明する。
【００８６】
本実施形態に係る演出装置１７においては、図１８（ａ）に示すように、２つの遮蔽部材（第一遮蔽部材６０および第二遮蔽部材８０）を前後方向に並べて配置する構成とした。
【００８７】
しかし、本発明はこれに限らず、図１８（ｂ）に示すように、第一遮蔽部材６０および第二遮蔽部材８０に加えて、当該第一遮蔽部材６０および第二遮蔽部材８０の間に第三遮蔽部材１００を配置し、３つの遮蔽部材を前後方向に並べて配置する構成とすることも可能である。
【００８８】
この場合、第三遮蔽部材１００の背後（第三遮蔽部材１００と第一遮蔽部材６０との間）に第三案内部材９０を配置し、当該第三案内部材９０に形成された第二左案内通路９２Ｌにより第二左支持アーム８５Ｌを案内することも可能である。
【００８９】
なお、本発明に係る遮蔽部材の個数は上記の２つまたは３つに限るものではなく、４つ以上設けることも可能である。
【００９０】
また、本実施形態に係る演出装置１７においては、図１８（ａ）に示すように、第一案内部材５０の第二左案内通路５２Ｌおよび第二案内部材７０の第二左案内通路７２Ｌに第二左支持アーム８５Ｌを挿通させることによって、当該第二左支持アーム８５Ｌの上下方向のガタつきを防止する構成とした。
【００９１】
しかし、本発明はこれに限らず、図１９（ａ）に示すように、第二左支持アーム８５Ｌを第二左案内通路５２Ｌおよび第二左案内通路７２Ｌの下面に予め当接（載置）させた状態で挿通させることも可能である。このように第一案内部材５０および第二案内部材７０によって第二左支持アーム８５Ｌを下方から支えることにより、第二遮蔽部材８０の荷重によって第二左支持アーム８５Ｌが受ける負荷を軽減することができる。
【００９２】
さらに、図１９（ｂ）に示すように、第二左支持アーム８５Ｌを第一案内部材５０および第二案内部材７０に挿通させるのではなく、第一案内部材５０の上端面５２Ｕおよび第二案内部材７０の上端面７２Ｕに当接させた状態で案内することも可能である。このように第一案内部材５０および第二案内部材７０によって第二左支持アーム８５Ｌを下方から支えることにより、第二遮蔽部材８０の荷重によって第二左支持アーム８５Ｌが受ける負荷を軽減することができる。
【符号の説明】
【００９３】
１：遊技機，１７：演出装置，３０：駆動機構，５０：第一案内部材，６０：第一遮蔽部材（遮蔽部材），６５Ｌ：第一左支持アーム（支持アーム），６５Ｒ：第一右支持アーム（支持アーム），７０：第二案内部材，８０：第二遮蔽部材（遮蔽部材），８５Ｌ：第二左支持アーム（支持アーム），８５Ｒ：第二右支持アーム（支持アーム）
【図１】
0005505325.tif 000002
【図２】
0005505325.tif 000003
【図３】
0005505325.tif 000004
【図４】
0005505325.tif 000005
【図５】
0005505325.tif 000006
【図６】
0005505325.tif 000007
【図７】
0005505325.tif 000008
【図８】
0005505325.tif 000009
【図９】
0005505325.tif 000010
【図１０】
0005505325.tif 000011
【図１１】
0005505325.tif 000012
【図１２】
0005505325.tif 000013
【図１３】
0005505325.tif 000014
【図１４】
0005505325.tif 000015
【図１５】
0005505325.tif 000016
【図１６】
0005505325.tif 000017
【図１７】
0005505325.tif 000018
【図１８】
0005505325.tif 000019
【図１９】
0005505325.tif 000020